【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
耐熱ゴムマットと、
該耐熱ゴムマットに埋め込んで用いる折り曲げ自在な複数の可変パイプであって、電気石（トルマリン）、石英岩、方解石、長石、木魚石、雲母を含む鉱石を粉砕した粉砕鉱石片を充填した複数の可変パイプと、
該耐熱ゴムマットに埋め込んだ電熱線であって、前記複数の可変パイプの各隣接する相互の間に位置するように埋め込んだ電熱線と、
で構成した簡易岩盤浴装置。
【請求項２】
前記耐熱ゴムマットを、相互の側辺で折り曲げ自在に結合した長方形を基本とする上部側耐熱ゴムマット及び下部側耐熱ゴムマットとで構成した請求項１の簡易岩盤浴装置。
【請求項３】
前記可変パイプをアクリル樹脂製の折り曲げ可能なパイプ体で構成した請求項１又は２の簡易岩盤浴装置。
【手続補正２】
【補正対象書類名】明細書
【補正対象項目名】全文
【補正方法】変更
【補正の内容】
【発明の詳細な説明】
【発明の名称】簡易岩盤浴装置
【技術分野】
【０００１】
本発明は、場所を選ぶことなく使用できる折りたたみ式の簡易岩盤浴装置に関する。
【背景技術】
【０００２】
現代は人間にとって、とてもストレスを受けやすい社会となっており、そういう世相を反映して癒しの分野も進歩・発展し、放射線を照射する岩盤の周囲に身体を横たえて発汗作用を生じさせ、細胞の活性化などを図る岩盤浴が、ダイエットに、ストレス解消に、血液循環促進にと、人気を博している。従来、このような岩盤浴装置は、放射線を照射する鉱石粉をセメントに混入して硬化させることによって形成されている。
【特許文献１】特開２００４−１３００４７号公報
【特許文献２】特開２００５−０７３８００号公報
【発明の開示】
【発明が解決しようとする課題】
【０００３】
しかし、以上のように、従来の岩盤浴は板状のもので、場所をとり、一般の家庭や理美容室、エステ・ネイルサロンに普及することは難しい状況である。
【０００４】
そこで、誰もが手軽に利用することができるだけでなく、場所をとらずにコンパクトに折りたたむことができて持ち運び・収納に便利で、イスの上でも、ベッドの上でも、畳や床の上でも利用できる折りたたみ式簡易岩盤浴装置を提供することを解決の課題とする。
【課題を解決するための手段】
【０００５】
請求項１の発明は、耐熱ゴムマットと、
該耐熱ゴムマットに埋め込んで用いる折り曲げ自在な複数の可変パイプであって、電気石（トルマリン）、石英岩、方解石、長石、木魚石、雲母を含む鉱石を粉砕した粉砕鉱石片を充填した複数の可変パイプと、
該耐熱ゴムマットに埋め込んだ電熱線であって、前記複数の可変パイプの各隣接する相互の間に位置するように埋め込んだ電熱線と、
で構成した簡易岩盤浴装置である。
【０００６】
請求項２の発明は、請求項１の簡易岩盤浴装置に於いて、  前記耐熱ゴムマットを、相互の側辺で折り曲げ自在に結合した長方形を基本とする上部側耐熱ゴムマット及び下部側耐熱ゴムマットとで構成したものである。
【０００７】
請求項３の発明は、請求項１又は２の簡易岩盤浴装置に於いて、前記可変パイプをアクリル樹脂製の折り曲げ可能なパイプ体で構成したものである。
【発明の効果】
【０００８】
従って前記請求項１、２又は３の発明の簡易岩盤浴装置によれば、岩盤浴原石を板状ではなく砕いて細かくして可変パイプに入れることによって、折り曲げが可能になり、鉱石くずが出たり、型くずれがおこることなどを防ぐことができる。この技術によって、小型軽量化・省電力化を実現でき、持ち運びが可能となり、使用・収納にも場所をとらない折りたたみ式簡易岩盤浴装置となる。
【発明を実施するための最良の形態】
【０００９】
次に図面を参照して、本発明を実施するための最良の形態に係る簡易岩盤浴装置について詳細に説明する。
図１は一実施の形態の簡易岩盤浴装置の内側を示した平面説明図、図２は一実施の形態の簡易岩盤浴装置の外側を示した平面説明図、図３はヒーターと粉砕鉱石片入りの可変パイプが埋設された耐熱ゴムマットの断面説明図である。
【００１０】
上部側及び下部側の耐熱ゴムマット１、２は、２５０℃に耐える耐熱ゴムで成形したマット状部材であり、図１及び図２に示すように、各々ほぼ長方形状で相互の側辺で一体に形成され、相互の結合側辺で、前者を後者に重ねる状態に折り曲げることができるように構成されている部材である。上部側の耐熱ゴムマット１は、図１及び図２に示すように、利用者の頭部側端部の中央に概ね半円弧状の切欠が形成してある。下部側の耐熱ゴムマット２は、図１及び図２に示すように、その頭部側端部の両側部に肩部延長片を突出させ、足部側端部にその端部全体を延長した足部延長片を突出させ、更に非結合側辺にその側辺全体を延長した側部延長片を突出させてある。
【００１１】
この耐熱ゴムマット１、２には、それらの長さ方向に沿って、それぞれ可変パイプ１１ｂ、１１ｂ…が平行に埋込配列されている。これらの可変パイプ１１ｂ、１１ｂ…は、上部側の耐熱ゴムマット１には、９本のそれらが埋込配列され、下部側の耐熱ゴムマット２には、９本ずつ内側外側二層に埋込配列されている。
【００１２】
前記上部側の耐熱ゴムマット１の各隣接する可変パイプ１１ｂ、１１ｂ及び下部側の耐熱ゴムマット２の内側寄りに配列された各隣接する可変パイプ１１ｂ、１１ｂの間には、図１及び図３に示すように、それぞれの端部外で折り返しながら、一本のヒーター（電熱線）１０を埋込配設する。このとき、該ヒーター１０の一端は、図１に示すように、上部側の耐熱ゴムマット１の非結合側辺の頭部側端部寄りの位置から外部に引き出し、該ヒーター１０の他端は、下部側の耐熱ゴムマット２の非結合側辺の頭部側端部寄りの位置で外側寄りの側に突き出し移行させ、図２及び図３に示すように、該下部側の耐熱ゴムマット２の外側寄りに配列された各隣接する可変パイプ１１ｂ、１１ｂの間にそれらの端部外で折り返しながら埋込配設し、その端部は、更に該下部側の耐熱ゴムマット２の頭部側端部でその非結合側辺側に延長してまた内側寄り側に突き出し移行させ、図１に示すように、該下部側の耐熱ゴムマット２及び上部側の耐熱ゴムマット１の頭部側端部を通過して該上部側の耐熱ゴムマット１の非結合側辺に配した温度調節器１３に接続する。該温度調節器１３は、更にタイマー付きの電源スイッチ１２に接続し、該電源スイッチ１２は、前記ヒーター１０の一端と共に、一般家庭用電源ＡＣ１００Ｖに接続できるようになっている。
【００１３】
前記可変パイプ１１ｂ、１１ｂ…は、アクリル樹脂製の、文字通り、折り曲げ可能なパイプ体であり、直径２〜５ｍｍのそれを用いることができる。図３に示すように、該可変パイプ１１ｂ、１１ｂ…の内部には粉砕鉱石片１１ａが充填してある。該粉砕鉱石片１１ａは、電気石（トルマリン）、石英岩、方解石、長石、木魚石、雲母等の粉砕物を混合したものである。これらの粉砕鉱石片１１ａ中の上記鉱石類の混合比率は任意である。
【００１４】
前記ヒーター１０は、前記のように、タイマー付きの電源スイッチ１２で、そのオンオフ及び加熱駆動時間の制御ができるようになっている。このタイマーは６０分間を無段階で時間設定できるものを採用した。また前記ヒーター１０には、前記のように、温度調節器１３が接続してあり、これにより発熱駆動温度が調節可能となっている。該ヒーター１０の発熱駆動温度を調節して、これにより加熱される可変パイプ１１ｂ、１１ｂ…中の粉砕鉱石片１１ａから放射される遠赤外線及びマイナスイオンの量を調節する趣旨である。なお、以上のタイマー付きの電源スイッチ１２及び温度調節器１３は公知のそれを採用したものである。温度調節器１３はサーモスタット付きのものである。
【００１５】
以上の上部側及び下部側の耐熱ゴムマット１、２は、軽量な布製キャンバス地材で被覆され、図１に示すように、その下部側の耐熱ゴムマット２の側部延長片を被覆するサイドカバー３には、その内側の縁部にサイドカバー固定用マジックテープ（登録商標、以下同じ）４を配し、頭部側端部の両側部に突出させた左右の肩部延長片を被覆する左肩カバー５及び右肩カバー６には、それらの内側の縁部に各々肩カバー固定用マジックテープ７、７を配し、足部側端部の足部延長片を被覆する足側カバー８には、その内側の縁部に足側カバー固定用マジックテープ９を配する。また、図２に示すように、上部側の耐熱ゴムマット１の非結合側辺のカバー部材（布製キャンバス地材）には、外側の縁部から若干内方に後退した位置に該側辺に平行にサイドカバー固定用マジックテープ４を配し、前記サイドカバー３のそれと着脱自在に結合可能とし、頭部側端部の両側のカバー部材（布製キャンバス地材）には、各々外側の縁部から若干内方に後退した位置に該頭部側端部に平行に各々肩カバー固定用マジックテープ７、７を配し、前記左肩カバー５及び前記右肩カバー６に配したそれらと着脱自在に結合可能とし、更に足部側端部のカバー部材（布製キャンバス地材）には、外側の縁部から若干内方に後退した位置に該足部側端部に平行に足側カバー固定用マジックテープ９を配し、前記足側カバー８に配したそれと着脱自在に結合可能とする。
【００１６】
こうして耐熱ゴムマット１、２は、前記布製キャンバス地材で被覆状態で縫製され、前記サイドカバー固定用マジックテープ４、４、肩カバー固定用マジックテープ７、７…及び足側カバー固定用マジックテープ９、９により一人用寝袋型に閉じた状態にし、或いは展開して平面状態にすることができることになる。この実施の形態では、一人用寝袋型に閉じた状態では、幅１．０ｍ、高さ０．３ｍ、長さ２．０ｍ程度の大きさになるようになっている。
【００１７】
以上のように構成されたこの実施の形態の簡易岩盤浴用装置の使用について説明する。
この簡易岩盤浴装置は、連結側辺で折り曲げて上部側の耐熱ゴムマット１を下部側の耐熱ゴムマット２に載せた状態にし、使用者はこの間に入って使用する。このとき、この簡易岩盤浴装置は、前記サイドカバー固定用マジックテープ４、４、足側カバー固定用マジックテープ９、９及び肩カバー固定用マジックテープ７、７…を相互に結合して寝袋状にして使用するものである。
【００１８】
前記電源スイッチ１２をオン操作して前記ヒーター１０に通電すると、該ヒーター１０の発熱によって生じた熱が可変パイプ１１を介してその内部に充填した粉砕鉱石片１１ａに加えられ、これにより、該粉砕鉱石片１１ａを構成する電気石、石英岩、方解石、長石、木魚石から遠赤外線とマイナスイオンが放出される。この簡易岩盤浴用装置では、このように作用するので、この中に入っている身体には、遠赤外線とマイナスイオンが照射され、血液や細胞が活性化されて新陳代謝が促進され、老廃物や体脂肪が汗とともに排出され、これによって腰痛、冷え性、肩凝り、更年期障害などへの効果を期待することができる。
【００１９】
またこの簡易岩盤浴用装置に付属する温度調節器１３によってヒーター１０の温度を調節して遠赤外線とマイナスイオンの放出量を調節することができる。更にこの簡易岩盤浴装置に付属する電源スイッチ１２のタイマーを調節することによって、岩盤浴時間を６０分間の時間範囲で無段階に調節することができる。
【００２０】
更にこの簡易岩盤浴装置は、耐熱ゴムマット１、２中に粉砕鉱石片１１ａを充填した可変パイプ１１ｂ、１１ｂ…を埋め込んだものであり、折り曲げることが可能であり、場所を取らないようにコンパクトに折り畳むことができ、持ち運び、収納に便利である。またベッドの上でも、畳みや床の上でも利用可能である。
またヒーター１０と粉砕鉱石片１１ａ入りの可変パイプ１１ｂとは、前記のように、耐熱ゴムマット１、２の中に埋設状態となっているので、このヒーター１０と可変パイプ１１ｂとが剥離してしまうような問題を確実に回避できる。
【００２１】
この簡易岩盤浴装置は、家庭で、理・美容店、エステサロンなどで使用できる。はり・きゅう院のベッド上に敷いて施術もできる。
【図面の簡単な説明】
【００２２】
【図１】一実施の形態の簡易岩盤浴装置の内側を示した平面説明図。
【図２】一実施の形態の簡易岩盤浴装置の外側を示した平面説明図。
【図３】ヒーターと粉砕鉱石片入りの可変パイプが埋設された耐熱ゴムマットの断面説明図。
【符号の説明】
【００２３】
１    上部側の耐熱ゴムマット
２    下部側の耐熱ゴムマット
３    サイドカバー
４    サイドカバー固定用マジックテープ
５    左肩カバー
６    右肩カバー
７    肩カバー固定用マジックテープ
８    足側カバー
９    足側カバー固定用マジックテープ
１０  ヒーター（電熱線）
１１ａ  粉砕鉱石片
１１ｂ  可変パイプ
１２  電源スイッチ
１３  温度調節器
１４  一般家庭用電源ＡＣ１００Ｖへ
【手続補正３】
【補正対象書類名】図面
【補正対象項目名】図３
【補正方法】変更
【補正の内容】
【図３】
2006320687.tif 000001